(57)【特許請求の範囲】
【請求項１】
入力されたデジタル画像データを標準カラー出力とするカラーテーブルと、出力エネルギーを調整するエネルギーテーブルとを用いて、またはカラーテーブルとエネルギーテーブルとを一括した変換テーブルを用いて、露光ユニットへの出力データに変換する印画紙プリンタの出力データの調整方法であって、
複数の印画紙を露光特性に応じて特性の近いものをグループ化し、
グループ化した印画紙のなかの規準となる印画紙の規準露光データを設け、
グループ内の基準印画紙以外の印画紙を用いる場合には、基準印画紙を用いたテストパターンの濃度値と基準印画紙以外の印画紙を用いたテストパターンの濃度値と差と、規準露光データとから、露光ユニットへの出力データを補正することを特徴とする印画紙プリンタの出力データの調整方法。
【請求項２】
前記規準露光データを、
前記規準印画紙を用いたテストパターンの濃度値と、リファレンステストパターンの濃度値との差から補正することを特徴とする請求項１記載の印画紙プリンタの出力データの調整方法。
【請求項３】
前記規準印画紙を用いたテストパターンの濃度値と、リファレンステストパターンの濃度値との差に、ユーザで設定した濃度差を加えることを特徴とする請求項２記載の印画紙プリンタの出力データの調整方法。
【発明の詳細な説明】
【０００１】
【発明の属する技術分野】
本発明は、入力されたデジタル画像データを標準カラー出力とするカラーテーブルと、出力エネルギーを調整する出力エネルギーテーブルとを用いて、またはカラーテーブルと出力エネルギーテーブルとを一括した変換テーブルを用いて、露光ユニットへの出力データに変換する印画紙プリンタの出力データの調整方法に関する。
【０００２】
【従来の技術】
次に、図面を用いて従来例を説明する。図５は従来の印画紙プリンタを説明する構成図である。
【０００３】
図において、印画紙プリンタ１内には、入力されたデジタル画像データを標準カラー出力とするカラーテーブル２と、出力エネルギーを調整するエネルギーテーブル３と、出力データに応じて印画紙５を露光する露光ユニット４とが設けられている。
【０００４】
又、カラーテーブルと出力エネルギーテーブルとを一括した変換テーブルを設けた印画紙プリンタもある。
６は印画紙５を収容し、印画紙プリンタにセットされるペーパーマガジンである。
【０００５】
このような構成の印画紙プリンタにおいて、露光ユニット４への出力データの調整方法は、露光ユニット４に露光色に応じてパターン出力したテストプリント７のプリントパターンを濃度計８等で読み取り、その結果からカラーテーブル２およびエネルギーテーブル３を計算している。
【０００６】
複数の種類の印画紙５に対応した印画紙プリンタ１の場合、カラーテーブル２およびエネルギーテーブル３とは、各印画紙５に対応して必要である。このような場合、ペーパーマガジン６にメモリ６ａを設け、このメモリ６ａにカラーテーブルデータと、エネルギーテーブルデータとを記憶させておき、ペーパーマガジン６が印画紙プリンタ１にセットされたら、印画紙プリンタ１がペーパーマガジン６内のメモリ６ａ内のカラーテーブルデータおよびエネルギーテーブルデータを読み込み、カラーテーブル２と、エネルギーテーブル３とに、データを書き込みことがなされている。
【０００７】
又、印画紙プリンタ１にセットされる印画紙毎のカラーテーブル２と、エネルギーテーブル３とを設け、印画紙プリンタ１にセットされた印画紙に応じてこれらを切り替えることもなされている。
【０００８】
【発明が解決しようとする課題】
しかし、上述のような印画紙プリンタにおいては、下記のような問題点がある。
【０００９】
（１）  同一種類の印画紙であっても紙幅が異なると若干感度も異なるので、カラーテーブル２と、エネルギーテーブル３との計算が必要となる。
一方、露光ユニット４に露光色に応じてパターン出力したテストプリント７のプリントパターンを濃度計８等で読み取り、その結果からカラーテーブル２およびエネルギーテーブル３を再計算する方法は、操作が面倒で、時間もかかる。
【００１０】
又、カラーテーブル２およびエネルギーテーブル３のデータを記憶するメモリーも多く必要となる。
（２）  現像液は日々少しづつ変化し、露光ユニットも光量変動するので、出力特性を維持するためには、毎日印画紙種別にカラーテーブルとエネルギーテーブルとの再計算が必要である。
【００１１】
本発明は、上記問題点に鑑みてなされたもので、その目的は、操作が簡単で、短時間で調整が行える印画紙プリンタの出力データの調整方法を提供することにある。
【００１２】
【課題を解決するための手段】
上記課題を解決する請求項１記載の発明は、入力されたデジタル画像データを標準カラー出力とするカラーテーブルと、出力エネルギーを調整するエネルギーテーブルとを用いて、またはカラーテーブルとエネルギーテーブルとを一括した変換テーブルを用いて、露光ユニットへの出力データに変換する印画紙プリンタの出力データの調整方法であって、複数の印画紙を露光特性に応じて特性の近いものをグループ化し、グループ化した印画紙のなかの規準となる印画紙の規準データを設け、グループ内の基準印画紙以外の印画紙を用いる場合には、基準印画紙を用いたテストパターンの濃度値と基準印画紙以外の印画紙を用いたテストパターンの濃度値と差と、規準露光データとから、露光ユニットへの出力データを補正することを特徴とする印画紙プリンタの出力データの調整方法である。
【００１３】
共通印画紙を用いる場合には、規準露光データのみで、共通印画紙以外の印画紙を用いる場合には、規準露光データと、共通印画紙との差分とでそれぞれ出力データを補正することができるので、操作が簡単で、短時間で調整が行える。
【００１４】
請求項２記載の発明は、請求項１記載の発明において、前記規準露光データを、前記規準印画紙を用いたテストパターンの濃度値と、リファレンステストパターンの濃度値との差から補正することを特徴とする印画紙プリンタの出力データの調整方法である。
【００１５】
規準露光データを、前記規準印画紙を用いたテストパターンの濃度値と、リファレンステストパターンの濃度値との差から補正することにより、現像液の変化及び露光ユニットの光量変動に対する補正が簡単に、短時間で行える。
【００１６】
請求項３記載の発明は、請求項２記載の発明において、前記規準印画紙を用いたテストパターンの濃度値と、リファレンステストパターンの濃度値との差に、ユーザで設定した濃度差を加えることを特徴とする印画紙プリンタの出力データの調整方法である。
【００１７】
ユーザで設定した濃度差を加えることにより、ユーザの好みの色合わせも可能となる。
【００１８】
【発明の実施の形態】
次に図面を用いて本発明の実施の形態を説明する。
本実施の形態例の印画紙プリンタは、図２に示すように、露光特性が全く異なるＡとＢとの二種類の印画紙（ペーパー）を処理する。又、印画紙Ａには５種類の紙幅が、印画紙Ｂには２種類の紙幅がある。
【００１９】
そして、本実施の形態例では、印画紙Ａのグループをペーパーグループ１、印画紙Ｂのグループをペーパーグループ２とし、グループ化した。
図１は本発明の一実施の形態例の印画紙プリンタの出力データの調整方法を実現する印画紙プリンタの構成図である。
【００２０】
図において、印画紙プリンタ１１内には、ペーパーグループ１用に、入力されたデジタル画像データを標準カラー出力とするカラーテーブル１２と、出力エネルギーを調整するエネルギーテーブル１３とが、ペーパーグループ２用に、入力されたデジタル画像データを標準カラー出力とするカラーテーブル２２と、出力エネルギーを調整するエネルギーテーブル２３とが設けられている。
【００２１】
又、カーラーテーブル１２，２２と、エネルギーテーブル１３，２３との間には、濃度差から近似的に出力変換する共通濃度差変換テーブル２４が設けられている。
【００２２】
１４は出力データに応じて印画紙１５を露光する露光ユニットである。
共通濃度差変換テーブル２４には、共通印画紙の露光データが格納されたマスターチャネル（Ｍ−ＣＨ）３３と、共通印画紙以外の印画紙の露光データが格納されたペーパーチャネル（Ｐ−ＣＨ）３４と、後述するユーザー露光データが格納されたユーザーチャネル（Ｕ−ＣＨ）３５とが接続されている。
【００２３】
マスターチャネル３３には、各ペーパータイプ（本実施の形態例では、Ａ，Ｂの２タイプ）の規準印画紙の露光データ（規準露光データ）が登録される。図２に示すように、本実施の形態例では、Ａのペーパータイプでは１２７ｍｍ幅の印画紙を、Ｂのペーパータイプでは２０３ｍｍ幅の印画紙が規準印画紙とした。
【００２４】
ペーパーチャネル３４には、規準印画紙以外の印画紙の露光データが登録される。尚、ここに登録されるデータは、規準印画紙の露光データと規準印画紙以外の印画紙の露光データとの差分である。
【００２５】
ユーザーチャネル３５には、客先が目視で設定した好みの色合わせ情報と、Ｄｍａｘ（ガンマ設定）が登録される。
ここで、Ｄｍａｘとは、黒の最大濃度の設定で、黒の濃さを決めるものであり、ガンマは、入力データに対する濃度出力の傾きの設定を示すものである。
【００２６】
次に、上記構成の印画紙プリンタで行われるグレイキャリブレーションプリントで用いるテストパターン５０の説明を図３を用いて行なう。
５１は露光がアンダー（Ｕ）のグレイ露光部、５２は露光がノーマル（Ｎ）のグレイ露光部、５３は露光がオーバー（Ｏ）のグレイ露光部である。
【００２７】
グレイ露光部５１，５２，５３の上には１６段のウエッジ露光部５４を、グレイ露光部５１，５２，５３の下にはブルー露光部５５、グリーン露光部５６、レッド露光部５７、イエロー露光部５８、マゼンタ露光部５９、シアン露光部６０が設けられる。
【００２８】
次に、上記構成の印画紙プリンタ１１での出力調整方法を図４を参照しつつ説明する。
（１）  工場での生産時で行う調整
１．ペーパーグループ１の規準印画紙を選択する。
【００２９】
２．ペーパーグループ１のカラーテーブル１２とエネルギーテーブル１３に規準のデータをセットする。
３．  露光ユニット１４に露光色に応じてパターン出力したテストプリントのプリントパターンを濃度計等で読み取り、その結果からペーパーグループ１のカラーテーブル１２およびエネルギーテーブル１３を計算し、書き換える。
【００３０】
４．  グレイキャリブレーションを規準印画紙、および、規準印画紙以外の印画紙について順次実行する。
５．  ペーパーグループ２についても、１から３のステップを行ない、カラーテーブル２２とエネルギーテーブル２３を計算し、書き換える。
【００３１】
６．  規準機で作成されたグレイキャリブレーションプリントを市場用リファレンスプリントとして準備する。
（２）  市場での機械の調整
１．  ペーパーグループの設定と、規準印画紙の設定を行う。
【００３２】
２．  ペーパーグループ１の指定を行う。
３．  市場用リファレンスプリントを濃度計に挿入して、リファレンスプリントの濃度登録を行う。
【００３３】
４．  規準印画紙のグレイキャリブレーションプリントの作成を行い、濃度計に挿入して、規準印画紙プリントの濃度が市場用リファレンスプリント濃度と同じになるように調整する。その時、調整に必要な濃度補正値がマスターチャネル３３に△Ｍ１として登録される。
【００３４】
尚、ΔＭ１の条件を加えた標準印画紙のグレイキャリブレーションプリントをリファレンスプリントとして再登録しても可能である。
５．  同一ペーパーグループ内で、規準印画紙以外の印画紙のグレイキャリブレーションプリントを濃度補正値△Ｍ１を加えた条件で、作成する。
【００３５】
その時「リファレンスプリント濃度と等しくする濃度補正値−△Ｍ１」がその印画紙用の△Ｐｘとして、ペーパーチャネル３４に登録される。
６．  すべての印画紙、すべてのペーパーグループについて同様な手順で行う。
【００３６】
７．  実プリントを行い、客先の好みのレベル調整を濃度補正値△Ｕｘとしてユーザーチャネル３５に登録し、更に、Ｄｍａｘ（ガンマ）を設定する。
８．  客先が行う日々の調整として、規準印画紙で△Ｍ１の濃度補正値でグレイキャリブレーションプリントを作成し、「リファレンスプリント濃度と等しくする濃度補正値−△Ｍ１」を日々の濃度補正値として、マスターチャネル３３に△Ｍ１Ｄとして登録する。
【００３７】
次回以降の日々の調整では「△Ｍ１＋△Ｍ１Ｄ」の濃度補正値でグレイキャリブレーションプリントを作成し、「リファレンスプリント濃度と等しくする濃度補正値−△Ｍ１−前回の△Ｍ１Ｄ」を日々の濃度補正値としてマスターチャネル３３の△Ｍ１Ｄに再登録する。
【００３８】
９．  実際のプリントは、各ペーパーグループのカラーテーブルおよびエネルギーテーブルを指定し、濃度補正値（△Ｍ１＋△Ｍ１Ｄ＋△Ｐｘ＋△Ｕｘ）をセットして、プリントを実行する。
【００３９】
尚、本実施の形態例の印画紙プリンタ１１は、セットされる印画紙マガジン、ユーザーのキー操作のうち、少なくとも一方により、印画紙の選択が可能なようになっている。
【００４０】
上記調整方法によれば、客先の好みのレベル調整データを用いない場合、共通印画紙を用いたプリントの際には、マスターチャネル３３に登録されたデータ（△Ｍ１＋△Ｍ１Ｄ）のみで、出力データの補正を行うことができ、共通印画紙以外の印画紙を用いる場合には、マスターチャネル３３に登録されたデータ（△Ｍ１＋△Ｍ１Ｄ）と、ペーパーチャネル３４に登録されたデータ（ΔＰｘ）とで出力データの補正を行なうことができるので、操作が簡単で、短時間で調整が行える。
【００４１】
又、日々の調整は、規準印画紙で△Ｍ１の濃度補正値でグレイキャリブレーションプリントを作成し、「リファレンスプリント濃度と等しくする濃度補正値−△Ｍ１」を日々の濃度補正値として、マスターチャネル３３に△Ｍ１Ｄとして登録するだけで、現像液の変化及び露光ユニットの光量変動に対する補正が簡単に、短時間で行える。
【００４２】
更に、ユーザで設定した濃度補正値を登録するユーザーチャネル３５を設けたことにより、ユーザの好みの色合わせも可能となる。
【００４３】
【発明の効果】
以上述べたように請求項１記載の発明によれば、複数の印画紙を露光特性に応じて特性の近いものをグループ化し、グループ化した印画紙のなかの規準となる印画紙の規準露光データを設け、グループ内の基準印画紙以外の印画紙を用いる場合には、基準印画紙を用いたテストパターンの濃度値と基準印画紙以外の印画紙を用いたテストパターンの濃度値と差と、規準露光データとから、露光ユニットへの出力データを補正することにより、共通印画紙を用いる場合には、規準露光データのみで、共通印画紙以外の印画紙を用いる場合には、規準露光データと、共通印画紙との差分とでそれぞれ出力データを補正することができるので、操作が簡単で、短時間で調整が行える。
【００４４】
請求項２記載の発明によれば、前記規準露光データを、前記規準印画紙を用いたテストパターンの濃度値と、リファレンステストパターンの濃度値との差から補正することにより、現像液の変化及び露光ユニットの光量変動に対する補正が簡単に、短時間で行える。
【００４５】
請求項３記載の発明によれば、前記規準印画紙を用いたテストパターンの濃度値と、リファレンステストパターンの濃度値との差に、ユーザで設定した濃度差を加えることにより、ユーザの好みの色合わせも可能となる。
【図面の簡単な説明】
【図１】本発明の一実施の形態例の印画紙プリンタの出力データの調整方法を実現する印画紙プリンタの構成図である。
【図２】図１における印画紙プリンタで使用される印画紙の種類を説明する図である。
【図３】図１における印画紙プリンタで行われるグレイキャリブレーションプリントで用いるテストパターンを示す図である。
【図４】各露光での条件を示す図である。
【図５】従来の印画紙プリンタを説明する構成である。
【符号の説明】
２４  共通濃度差変換テーブル
３３  マスターチャネル
３４  ペーパーチャネル
３５  ユーザチャネル
【図１】
0003615022.tif 000002
【図２】
0003615022.tif 000003
【図３】
0003615022.tif 000004
【図４】
0003615022.tif 000005
【図５】
0003615022.tif 000006